【事件の表示】
　平成　９年特許願第３６２１２１号「電子写真装置」拒絶査定に対する審判事件［平成１０年　５月２９日出願公開、特開平１０−１４３０４６］について、次のとおり審決する。
【結　論】
　本件審判の請求は、成り立たない。
【理　由】
１．手続の経緯・本願発明
　本願は、出願日が平成3年3月15日である実願平3-22459号を平成9年12月11日に特許出願に変更したものであって、その請求項１ないし３に係る発明は、平成12年8月28日、平成13年1月15日および平成14年5月7日に提出された手続補正書によって補正された明細書および図面の記載からみて、その特許請求の範囲の請求項１ないし３に記載されたとおりのものであり、特に請求項１には次のとおりの発明が記載されている。以下、「本願発明１」という。
「【請求項１】　少なくとも上面に給紙ローラから記録材のレジスト及び転写位置を経由して定着器入口側に至る記録材搬送路を有するとともに、装置本体から引き出し可能な搬送ユニットを備えた電子写真装置において、
　前記搬送ユニットに、該搬送ユニット内底域のほぼ全面に亙って形成され、カセットの給紙端側まで収納可能な給紙カセット収納部を設けるとともに、
　該搬送ユニットが感光体ドラム軸線とほぼ直交する方向に装置本体から少なくとも途中位置まで引き出し可能であって、引き出し側の記録材給紙端側に給紙ローラと該給紙ローラより奥側の前記記録材搬送路上にレジストローラ対の少なくとも下ローラがそれぞれ配置され、
　更に、該収納部内に、ユニット引き出し方向と同じ方向に単独で引き出し可能に給紙カセットがカセット給紙端側まで収納配置され、
　該給紙カセットに載置された記録材を前記給紙ローラにより前記給紙端側で反転給紙されながら前記レジストローラ対まで搬送されるように構成し、
　前記搬送ユニットを前記途中位置まで引き出し時に、前記給紙ローラからレジストローラ入口までの両ローラ間の記録材搬送路上方空間全域が露出されることを特徴とする電子写真装置。」
　
２．引用刊行物記載の発明
　当審における平成14年2月27日付けで通知した拒絶の理由に引用した刊行物１ないし３には次のような発明が対応する図面とともに記載されている。
［刊行物１：特開昭57−190982号公報］
ａ．以上のような電子写真複写機において、本発明では、給紙端より、定着された複写紙を排紙する排紙端に至るまでの複写紙搬送部を２つのユニットに分割し、それぞれのユニットを、その装着位置から機体外部に向けて、複写紙の搬送方向と平行に、それぞれが離反する方向に引き出し可能に装着したもので、一点鎖線で示すように、給紙カセット（15）、給紙ローラ（16）、レジスタローラ（17）、給紙ガイド（18）、転写用コロトロン（10）、分離用コロトロン（11）、搬送ベルト（20）を含む構造体をユニット（Ａ）とし、定着装置（21）、排紙ローラ（26）を含む定着部をユニット（Ｂ）としたものである。そして、ユニット（Ａ）、ユニット（Ｂ）は、それぞれ図示していないガイドレール上に摺動自在に装着されており、図中矢印方向に移動可能に構成されている。（第2頁右上欄第18行〜左下欄第12行参照）
ｂ．したがって、紙詰まりした複写紙（14）の除去等の作業においては、定着部に至るまでに、紙詰まりした場合には、ユニット（Ａ）をその装着位置から外部に向けて引き出し、紙詰まりした複写紙（14）を取り除けばよい。そして、ユニット（Ａ）は、機体（1）の引き出し口（101）より、ユニット（Ａ）が一段低くなっている箇所、たとえば、転写部付近まで引き出せるように構成されている方がよい。これは、引き出し口（101）から操作する手が入りやすく、操作がより簡単にできるからである。（第2頁左下欄第13行〜右下欄第2行参照）
ｃ．また、定着部で紙づまりした場合には、ユニット（Ｂ）をその装着位置から機体（1）外部に向けて引き出し、紙詰まりした複写紙を取り除けば良い。（第2頁右下欄第3行〜同欄第5行参照）
　
　以上の記載を対比のためにまとめると、
ア）第１図及び第２図の記載からみて、ユニットＡの上面に転写位置から定着装置入口側に至る複写紙搬送路が設けられているとみることができ、
イ）給紙カセットについて具体的な説明がないが、複写紙の補給が必要なことは明らかであり、そのためにはユニットＡ引き出し方向と同じ方向に単独で引き出し可能であるということができ、
　以上のことから、刊行物１には次のような発明が図面とともに記載されている。
「上面に転写位置から定着装置入口側に至る複写紙搬送路を有するとともに、装置本体から引き出し可能なユニットＡを備えた電子写真複写機において、
　前記ユニットＡに、該ユニットＡ内に形成され、カセットを収納可能な給紙カセット収納部を設けるとともに、
　該ユニットＡが感光ドラム軸線とほぼ直交する方向に装置本体から少なくとも途中位置まで引き出し可能であって、記録材給紙端側に給紙ローラと該給紙ローラより奥側の前記複写紙搬送路上にレジスタローラ対の少なくとも下ローラがそれぞれ配置され、
　更に、該収納部内に、ユニットＡ引き出し方向と同じ方向に単独で引き出し可能に給紙カセットが収納配置され、
　該給紙カセットに載置された複写紙を前記給紙ローラにより給紙されながら前記レジスタローラ対まで搬送されるように構成し、
た電子写真複写機。」
　
［刊行物２：特開昭61−238620号公報］
ａ．この種の画像記録装置の従来技術を第６図、第７図を用いて説明する。第６図において、カセット2は本体1に図示の矢印（Ｘ）方向より挿入してセットされる。カセット2内の用紙（図示せず）は、ピックアップローラ3で一点鎖線で示す矢印方向に抽出される。・・・この装置は、後でページの差し換えを必要としない利点がある。しかしこの構成の場合、装置の全長Ａは、本体1の長さＢとカセット2の長さの一部Ｃとの和となり、大きくなる欠点がある。・・・従来技術の別な方式として第７図に示す構成の記録装置がある。第７図の装置はカセット2の大部分を本体1内に収納している。カセット2内の用紙（図示せず）はピックアップローラ3により抽出された後、反転折り返され、・・・トレー8’に排出される。この場合、装置の全長Ａは本体1の長さＢとトレー8’の長さＣとの和となり、大きくなる欠点がある。（第1頁右下欄第6行〜第2頁第14行参照）
ｂ．本発明は、本体内に挿入したカセット内に収納された用紙を、該カセット挿入方向の後端側から抽出した後に折り返して転写部に送紙し、更に折り返して本体上面に排出するように構成することにより、カセットの殆んどを本体内に挿入できるようにしてカセットの突出を減じ、また排紙を本体上面とすることによって排紙トレイの突出を減ずるものである。（第2頁右上欄第12行〜同欄第19行参照）
　以上の記載を対比のためにまとめると、刊行物２には次のような発明が図面とともに記載されている。
「装置本体内底域のほぼ全面に亙って形成され、カセットの給紙端側まで収納可能な給紙カセット収納部を設けるとともに、該給紙カセットに載置された用紙を給紙ローラにより給紙端側で反転給紙しながらレジストローラ対まで搬送するように構成した画像記録装置。」
　
［刊行物３：特開昭64−42662号公報］
ａ．如何なる箇所で紙詰りが生じても、プロセスユニットを複写機本体から引き出すことにより、紙詰り原因の用紙をプロセスユニットとともに取り出すことができ、この用紙を容易に且つ迅速に除去処理できる。（第2頁左下欄第4行〜同欄第8行参照）
ｂ．そして、１点鎖線で囲った部分が複写機本体1に対し出入自在に装着されたプロセスユニット24であり、下部に用紙カセット25を内蔵しているとともに、前述の給紙機構部12、転写チャージャ10からなる転写機構部、クリーナ機構部14、用紙搬送機構部16、定着機構部17および排紙機構部20等を一体に備えている。第２図は第１図のプロセスユニット24を複写機本体1から引き出した状態を示し、このプロセスユニット24には、これを複写機本体1から引き出すための取手26が設けられ、用紙カセット25にもこれをプロセスユニット24から引き出すための取手27が設けられている。（第3頁左上欄第9行〜右上欄第1行参照）
ｃ．ここで、紙詰り箇所に対応するペーパーガイド28，29または上面カバー30を開放することによって紙詰り用紙を容易に且つ迅速に除去できる。（第3頁左下欄第8行〜同欄第11行参照）
　
３．対比
　本願発明１を刊行物１記載の発明と対比すると、
ａ．刊行物１記載の発明において、ユニットＡの複写紙搬送部は、レジスタローラによるレジスト及び転写用コロトロンによる転写位置から定着装置入口側に至る複写紙搬送路を有しているし、
ｂ．刊行物１記載の発明の「複写紙」、「定着装置」、「ユニットＡ」、「電子写真複写機」、「感光ドラム」、「レジスタローラ」は、それぞれ本願発明１の「記録材」、「定着器」、「搬送ユニット」、「電子写真装置」、「感光体ドラム」、「レジストローラ」に相当し、
以上のことから両者間には次のような一致点、相違点がある。
（一致点）
　上面に転写位置を経由して定着器入口側に至る記録材搬送路を有するとともに、装置本体から引き出し可能な搬送ユニットを備えた電子写真装置において、
　前記搬送ユニットに、該搬送ユニット内底域に形成され、カセットを収納可能な給紙カセット収納部を設けるとともに、該搬送ユニットが感光体ドラム軸線とほぼ直交する方向に装置本体から少なくとも途中位置まで引き出し可能であって、給紙ローラと該給紙ローラより奥側の前記記録材搬送路上にレジストローラ対の少なくとも下ローラがそれぞれ配置され、更に、該収納部内に、ユニット引き出し方向と同じ方向に単独で引き出し可能に給紙カセットが収納配置され、
　該給紙カセットに載置された記録材を前記給紙ローラにより給紙されながら前記レジストローラ対まで搬送されるように構成し、た電子写真装置。
（相違点）
（１）搬送ユニットにおける給紙カセットに載置された記録材を給紙ローラによりレジストローラ対まで搬送する態様が、本願発明１は記録材を給紙ローラにより給紙端側で反転給紙されながらレジストローラ対まで搬送するものであるのに対して、刊行物１記載の発明においては、給紙ローラにより給紙された記録材を反転させずにそのままの姿勢でレジストローラ対まで搬送するものである点
（２）給紙カセットに載置された記録材を給紙ローラによりレジストローラ対まで搬送する態様が相違点（１）であげたように相違することに関連して、
（２−１）搬送ユニットの給紙カセット収納部について、本願発明１は搬送ユニット内底域のほぼ全面に亙って形成され、カセットの給紙端側まで収納可能であるのに対して、刊行物１記載の発明は、搬送ユニット内底壁の一部に形成され、カセットの一部分が収納可能である点
（２−２）給紙ローラの位置が、本願発明１は引き出し側の記録材給紙端側に給紙ローラが配置されているのに対して、刊行物１記載の発明では引き出し側とは反対側の記録材給紙端側に配置されている点
（３）本願発明１は、搬送ユニットの上面に給紙ローラから記録材のレジストまでの記録材搬送路も有するとともに、搬送ユニットを途中位置まで引き出し時に、給紙ローラからレジストローラ入口までの両ローラ間の記録材搬送路上方空間全域が露出されるのに対して、刊行物１記載の発明は給紙ローラから記録材のレジストまでの記録材搬送路の上方にはガイドが設けられていて、搬送ユニットを途中位置まで引き出し時に、給紙ローラとレジストローラ対の間の搬送路全域が露出されない点
　
４．判断
　相違点（１）については、刊行物２には、搬送機構を搬送ユニットととして独立させ、複写機本体から引き出し可能としたものではないが、搬送機構として本体内に挿入したカセット内に収納された用紙を、該カセット挿入方向の後端側から抽出した後に折り返して、すなわち反転させてレジストローラ対まで搬送するものが記載されており、刊行物１記載の発明において搬送ユニットの搬送機構を刊行物２記載の搬送機構に変えることに格別の阻害要因もないから、この点は当業者が容易に考えつくことができた構成の変更である。
　相違点（２）の（２−１）については、搬送ユニットの搬送機構として刊行物２に記載されているような反転給紙する機構に変更した場合、この搬送機構を採用する目的の一つが、カセットの殆どを本体内に挿入できるようにすることにあることから、給紙カセット収納部を搬送ユニット内底域のほぼ全面に亙って形成され、カセットの給紙端側まで収納可能と構成することは、搬送機構を反転給紙する機構に変更したことに伴って、当業者が普通に考えつくことができたことである。
　相違点（２−２）についても搬送ユニットの搬送機構として刊行物２に記載されているような反転給紙する機構に変更した場合、必然的に給紙ローラの位置が引き出し側の記録材給紙端側に配置されることになり、この点も当業者が普通に考えつくことができたことである。
　相違点（３）について検討する。
　刊行物３には、上記刊行物３の摘記事項ｃにあるように、用紙搬送機構を具えるプロセスユニットを複写機本体から引き出すことによって紙詰まりを除去できるようにした複写機において、紙詰まりがあった場合ガイドを開放することによって紙詰まり用紙を取り出すとあり、記録材搬送路上に設けたガイドが、紙詰まり除去に当たっては邪魔になることが知られている。
　このことから紙詰まりの除去だけのことを考えるならば、搬送路上にガイドなどを設けずに、搬送ユニット引き出し時に搬送路の上方が開放されることが好ましいことは当業者ならば普通に考えつくことである。
　そこで、紙詰まり除去に注目して、給紙ローラから記録材のレジストまでの記録材搬送路も搬送ユニットの上面に設けるとともに、搬送ユニットを途中位置まで引き出し時に、給紙ローラからレジストローラ入口までの両ローラ間の記録材搬送路上方空間全域を開放されるように構成することは、当業者が容易に考えつくことができた構成の変更である。
　そして、本願発明１は全体として従来技術から窺い知れないような格別の作用効果を奏するものでもない。
　
５．むすび
　以上のことから、本願発明１は刊行物１ないし３記載の発明に基づいて、当業者が容易に発明をすることができたものであり、特許法第29条第2項の規定により、特許を受けることができないものである。
　よって、結論のとおり審決する。